(57)【要約】【課題】配送先への配送を割り当てる情報処理装置および方法を提供する。【解決手段】記憶装置は、複数の領域に対応する複数の領域識別番号、複数の領域にそれぞれが属する複数の配送先に対応する複数の配送先識別番号、および複数の領域にそれぞれ割り当てられた優先順位を関連付けて記憶する。制御装置は、第１の配送先識別番号および第２の配送先識別番号を取得し、第１の配送先識別番号に基づいて、対応する第１の領域識別番号および対応する第１の優先順位を取得し、第２の配送先識別番号に基づいて、対応する第２の領域識別番号および対応する第２の優先順位を取得し、第１の優先順位および第２の優先順位の順序で、第１の領域識別番号に対応する第１の領域への配送物の配送、および第２の領域識別番号に対応する第２の領域への配送物の配送を配送員に割り当てる。【選択図】図７
2020149314.tif 000002
【特許請求の範囲】
【請求項１】
制御装置および記憶装置を備えた情報処理装置であって、
前記記憶装置は、複数の領域に対応する複数の領域識別番号、前記複数の領域にそれぞれが属する複数の配送先に対応する複数の配送先識別番号、および前記複数の領域にそれぞれ割り当てられた優先順位を関連付けて記憶するように構成され、
前記制御装置は、
前記記憶装置から、第１の配送先識別番号および第２の配送先識別番号を取得し、
前記記憶装置から、前記第１の配送先識別番号に基づいて、対応する第１の領域識別番号および対応する第１の優先順位を取得し、
前記記憶装置から、前記第２の配送先識別番号に基づいて、対応する第２の領域識別番号および対応する第２の優先順位を取得し、
前記第１の優先順位および前記第２の優先順位の順序で、前記第１の領域識別番号に対応する第１の領域への配送物の配送、および前記第２の領域識別番号に対応する第２の領域への配送物の配送を配送員に割り当てる
ように構成されていることを特徴とする情報処理装置。
【請求項２】
前記優先順位は、前記複数の領域間の道路網に従って割り当てられた優先順位であることを特徴とする請求項１に記載の情報処理装置。
【請求項３】
前記第１の優先順位および前記第２の優先順位の順序で、前記第１の配送先識別番号および前記第２の配送先識別番号を含むデータを、前記配送員に対応するクライアントコンピュータに送信するように構成された通信装置をさらに備えていることを特徴とする請求項１または２に記載の情報処理装置。
【請求項４】
前記第１の優先順位および前記第１の配送先識別番号と、前記第２の優先順位および前記第２の配送先識別番号とを含むデータを、前記配送員に対応するクライアントコンピュータに送信するように構成された通信装置をさらに備えていることを特徴とする請求項１または２に記載の情報処理装置。
【請求項５】
前記記憶装置は、前記複数の配送先に対応する複数の住所を記憶するようにさらに構成され、
前記制御装置は、
前記記憶装置から、前記第１の配送先識別番号に対応する第１の住所、および前記第１の配送先識別番号に対応する第２の住所を取得するようにさらに構成され、
前記クライアントコンピュータに送信される前記データに、前記第１の住所および前記第２の住所を含める
ようにさらに構成されていることを特徴とする請求項３または４に記載の情報処理装置。
【請求項６】
制御装置および記憶装置を備えた情報処理装置であって、
前記記憶装置は、複数の領域に対応する複数の領域識別番号、前記複数の領域にそれぞれが属する複数の配送先に対応する複数の配送先識別番号、および前記複数の領域にそれぞれ割り当てられた優先順位を関連付けて記憶するように構成され、
前記制御装置は、第１の時点において、
前記記憶装置から、第１の配送先識別番号乃至第４の配送先識別番号を取得し、
前記記憶装置から、前記第１の配送先識別番号乃至前記第４の配送先識別番号に基づいて、対応する第１の領域識別番号および対応する第１の優先順位と、対応する第２の領域識別番号および対応する第２の優先順位と、対応する第３の領域識別番号および対応する第３の優先順位と、対応する第４の領域識別番号および対応する第４の優先順位とをそれぞれ取得し、
前記第１の優先順位乃至前記第４の優先順位の順序で、前記第１の領域識別番号に対応する第１の領域への配送物の配送、および前記第２の領域識別番号に対応する第２の領域への配送物の配送を第１の配送員に、前記第３の領域識別番号に対応する第３の領域への配送物の配送、および前記第４の領域識別番号に対応する第４の領域への配送物の配送を第２の配送員に割り当てる
ように構成され、
前記制御装置は、第２の時点において、
前記記憶装置から、第５の配送先識別番号乃至第８の配送先識別番号を取得し、
前記記憶装置から、前記第５の配送先識別番号乃至前記第８の配送先識別番号に基づいて、対応する第５の領域識別番号および対応する第５の優先順位と、対応する第６の領域識別番号および対応する第６の優先順位と、対応する第７の領域識別番号および対応する第７の優先順位と、対応する第８の領域識別番号および対応する第８の優先順位とをそれぞれ取得し、
前記第５の優先順位乃至前記第８の優先順位の順序で、前記第５の領域識別番号に対応する第５の領域への配送物の配送、および前記第６の領域識別番号に対応する第６の領域への配送物の配送を前記第２の配送員に、前記第７の領域識別番号に対応する第７の領域への配送物の配送、および前記第８の領域識別番号に対応する第８の領域への配送物の配送を前記第１の配送員または第３の配送員に割り当てる
ようにさらに構成され、
前記第１の領域乃至前記第８の領域は、一定の同一の範囲に属する
ことを特徴とする情報処理装置。
【請求項７】
コンピュータデバイスによって実行される方法であって、前記コンピュータデバイスは、複数の領域に対応する複数の領域識別番号、前記複数の領域にそれぞれが属する複数の配送先に対応する複数の配送先識別番号、および前記複数の領域にそれぞれ割り当てられた優先順位を関連付けて記憶装置に記憶し、
前記記憶装置から、第１の配送先識別番号および第２の配送先識別番号を取得するステップと、
前記記憶装置から、前記第１の配送先識別番号に基づいて、対応する第１の領域識別番号および対応する第１の優先順位を取得するステップと、
前記記憶装置から、前記第２の配送先識別番号に基づいて、対応する第２の領域識別番号および対応する第２の優先順位を取得するステップと、
前記第１の優先順位および前記第２の優先順位の順序で、前記第１の領域識別番号に対応する第１の領域への配送物の配送、および前記第２の領域識別番号に対応する第２の領域への配送物の配送を配送員に割り当てるステップと
を備えたことを特徴とする方法。
【請求項８】
コンピュータデバイスによって実行される方法であって、前記コンピュータデバイスは、複数の領域に対応する複数の領域識別番号、前記複数の領域にそれぞれが属する複数の配送先に対応する複数の配送先識別番号、および前記複数の領域にそれぞれ割り当てられた優先順位を関連付けて記憶装置に記憶し、
第１の時点において、
前記記憶装置から、第１の配送先識別番号乃至第４の配送先識別番号を取得するステップと、
前記記憶装置から、前記第１の配送先識別番号乃至前記第４の配送先識別番号に基づいて、対応する第１の領域識別番号および対応する第１の優先順位と、対応する第２の領域識別番号および対応する第２の優先順位と、対応する第３の領域識別番号および対応する第３の優先順位と、対応する第４の領域識別番号および対応する第４の優先順位とをそれぞれ取得するステップと、
前記第１の優先順位乃至前記第４の優先順位の順序で、前記第１の領域識別番号に対応する第１の領域への配送物の配送、および前記第２の領域識別番号に対応する第２の領域への配送物の配送を第１の配送員に、前記第３の領域識別番号に対応する第３の領域への配送物の配送、および前記第４の領域識別番号に対応する第４の領域への配送物の配送を第２の配送員に割り当てるステップと、
第２の時点において、
前記記憶装置から、第５の配送先識別番号乃至第８の配送先識別番号を取得するステップと、
前記記憶装置から、前記第５の配送先識別番号乃至前記第８の配送先識別番号に基づいて、対応する第５の領域識別番号および対応する第５の優先順位と、対応する第６の領域識別番号および対応する第６の優先順位と、対応する第７の領域識別番号および対応する第７の優先順位と、対応する第８の領域識別番号および対応する第８の優先順位とをそれぞれ取得するステップと、
前記第５の優先順位乃至前記第８の優先順位の順序で、前記第５の領域識別番号に対応する第５の領域への配送物の配送、および前記第６の領域識別番号に対応する第６の領域への配送物の配送を前記第２の配送員に、前記第７の領域識別番号に対応する第７の領域への配送物の配送、および前記第８の領域識別番号に対応する第８の領域への配送物の配送を前記第１の配送員または第３の配送員に割り当てるステップと
を備え、
前記第１の領域乃至前記第８の領域は、一定の同一の範囲に属する
ことを特徴とする方法。
【請求項９】
コンピュータ実行可能命令を含むコンピュータプログラムであって、前記コンピュータ実行可能命令は、コンピュータデバイスによって実行されるとき、前記コンピュータデバイスに、請求項７または８に記載の方法を実行させることを特徴とするコンピュータプログラム。
【発明の詳細な説明】
【技術分野】
【０００１】
本発明は、情報処理装置、方法、およびコンピュータプログラムに関する。特に、本発明は、配送物を簡易かつ効率的に配送することを可能にする情報処理装置、方法、およびコンピュータプログラムに関する。
【背景技術】
【０００２】
ガスの供給先（家庭およびオフィスなど）にガスを供給する手段の１つとして、ＬＰ（Liquid Petroleum）ガスなどを充填したガスボンベが利用されている。ＬＰガスの供給方式では、ガスを充填したガスボンベを顧客宅などに設置するため、ガス切れが発生する可能性がある。よって、このようなガスを供給する形態では、ガスボンベを定期的に交換する必要がある。
【０００３】
このようなガス供給方式では、ガスを供給する事業者（ガス供給事業者）は、各家庭にガスボンベを配送するための複数の配送員を有する。各配送員は、配送車を使用して顧客宅を訪問し、ガスボンベを配送する。
【先行技術文献】
【特許文献】
【０００４】
【特許文献１】特開２０１３−２５４２５５号公報
【発明の概要】
【発明が解決しようとする課題】
【０００５】
ガス供給事業者は、顧客宅に効率的かつ正確にガスボンベを配送するために、コンピュータシステムを利用して、顧客のガス使用量および配送員による配送を管理することがある。特許文献１は、配送員によるガスボンベの配送を管理するコンピュータシステムを開示している。
【０００６】
特許文献１に開示されたシステムは、配送員のランクに応じて、配送拠点の配送本数合計を各配送員に割り当て、郵便番号をエリアの最小単位として管理し、郵便番号でソートした配送データを、割り当てた配送本数に基づいて、各配送員に割り当てている。特許文献１に開示されたシステムは、このようにして、配送拠点の配送エリアを郵便番号からなるサブエリアに動的に分けることによって、配送員の配送能力に沿ったエリア管理を行っている。
【０００７】
特許文献１に開示されたシステムでは、配送拠点が翌日に配送すべき配送データを、配送データの郵便番号に基づいてソートし、配送員の割当本数に基づいて、ソートした配送データを配送員に割り当てる。この方式では、各配送員のモバイル端末には、１日ごとの自身が配送すべきである顧客ごとの配送データが送信される。配送員は、この配送データに基づいて、顧客宅に訪問することになる。
【０００８】
特許文献１に開示されたシステムは、各々の配送員が１日に配送するガスボンベおよび各ガスボンベに対応する顧客を均等に割り当てているが、各々の配送員が１日に割り当てられたガスボンベを効率的に配送することまでも考慮していない。例えば、特許文献１に開示されたシステムは、配送データを郵便番号に基づいてソートして、配送員に割り当てている。このことは、配送員が、自身のモバイル端末を使用して、割り当てられた配送データを郵便番号順に参照することになる。つまり、配送員が自身に割り当てられた配送データを参照して配送する限り、郵便番号順に顧客宅を訪問することになる。
【０００９】
しかしながら、配送員が配送車を使用して配送する以上、配送員が顧客宅まで走行する経路は、例えば、道路網の状態に左右される。郵便番号は、道路網などを考慮せずに割り当てられているので、郵便番号順に顧客宅を訪問することは、必ずしも効率的な配送方法ではない。
【課題を解決するための手段】
【００１０】
本発明の一実施形態に係る情報処理装置は、制御装置および記憶装置を備えた情報処理装置であって、前記記憶装置は、複数の領域に対応する複数の領域識別番号、前記複数の領域にそれぞれが属する複数の配送先に対応する複数の配送先識別番号、および前記複数の領域にそれぞれ割り当てられた優先順位を関連付けて記憶するように構成され、前記制御装置は、前記記憶装置から、第１の配送先識別番号および第２の配送先識別番号を取得し、前記記憶装置から、前記第１の配送先識別番号に基づいて、対応する第１の領域識別番号および対応する第１の優先順位を取得し、前記記憶装置から、前記第２の配送先識別番号に基づいて、対応する第２の領域識別番号および対応する第２の優先順位を取得し、前記第１の優先順位および前記第２の優先順位の順序で、前記第１の領域識別番号に対応する第１の領域への配送物の配送、および前記第２の領域識別番号に対応する第２の領域への配送物の配送を配送員に割り当てる。
【００１１】
また、本発明の別の実施形態に係るコンピュータによって実行される方法は、コンピュータデバイスによって実行される方法であって、前記コンピュータデバイスは、複数の領域に対応する複数の領域識別番号、前記複数の領域にそれぞれが属する複数の配送先に対応する複数の配送先識別番号、および前記複数の領域にそれぞれ割り当てられた優先順位を関連付けて記憶装置に記憶し、前記記憶装置から、第１の配送先識別番号および第２の配送先識別番号を取得するステップと、前記記憶装置から、前記第１の配送先識別番号に基づいて、対応する第１の領域識別番号および対応する第１の優先順位を取得するステップと、前記記憶装置から、前記第２の配送先識別番号に基づいて、対応する第２の領域識別番号および対応する第２の優先順位を取得するステップと、前記第１の優先順位および前記第２の優先順位の順序で、前記第１の領域識別番号に対応する第１の領域への配送物の配送、および前記第２の領域識別番号に対応する第２の領域への配送物の配送を配送員に割り当てるステップとを備える。
【発明の効果】
【００１２】
本発明の一実施形態に係る情報処理装置および方法によれば、配送員は、所望の優先順位に従った順序で配送先への配送が案内される。
【図面の簡単な説明】
【００１３】
【図１】情報処理システムの全体的な構成の例を示すブロック図である。
【図２】サーバコンピュータの詳細な構成要素の例を示すブロック図である。
【図３】第１の実施形態に従った、配送員が配送物を配送する特定の領域の例を示す図である。
【図４】領域データテーブルの例を示す図である。
【図５】配送先データテーブルの例を示す図である。
【図６】配送員データテーブルの例を示す図である。
【図７】第１の実施形態に係る処理の例を示すフローチャートである。
【図８】配送データテーブルの例を示す図である。
【図９】第２の実施形態に従った、配送員が配送物を配送する特定の領域の例を示す図である。
【図１０】第２の実施形態に従った、配送員が配送物を配送する特定の領域の例を示す図である。
【図１１】複数の配送員が分担して配送する領域全体の例を示す図である。
【図１２】第２の実施形態に係る処理の例を示すフローチャートである。
【発明を実施するための形態】
【００１４】
以下、添付した図面を参照して、本発明の一実施形態に係る情報処理システム１００を詳細に説明する。以下の説明では、情報処理システム１００は、ガス供給事業者に属する配送員がガスボンベを配送先（顧客）に配送する例に適用されるものとする。しかしながら、情報処理システム１００は、ガスボンベ以外の任意の配送物を配送する例に適用されてもよい。
【００１５】
情報処理システム１００は、サーバコンピュータ１、ならびにクライアントコンピュータ２ａ、２ｂ、および２ｎ（以下、総称して「クライアントコンピュータ２」）を含む。サーバコンピュータ１およびクライアントコンピュータ２は、ネットワーク３（インターネットなどのパブリックネットワーク）を介して相互に接続される。
【００１６】
サーバコンピュータ１は、本実施形態に係る主要な処理を実行するコンピュータデバイス（情報処理装置）である。サーバコンピュータ１は、クライアントコンピュータ２からの要求に応じて、クライアントコンピュータ２に配送データを送信する。なお、サーバコンピュータ１は、単独のコンピュータデバイスによって実装されてもよく、または複数のコンピュータデバイスによって実装されてもよい。
【００１７】
クライアントコンピュータ２の各々は、ガスボンベを配送する配送員が使用するコンピュータデバイス（情報処理装置）である。クライアントコンピュータ２は、スマートフォンおよびタブレットなどの携帯型コンピュータデバイス、ラップトップ型コンピュータデバイス、ならびにノート型コンピュータデバイスなどであってもよい。クライアントコンピュータ２は、図示しない制御装置が所定のプログラムを実行することによって、所定の処理を実行する。
【００１８】
クライアントコンピュータ２は、図示しない入力装置（キーボードおよびタッチスクリーンなど）および表示装置（ディスプレイなど）を含む。配送員は、入力装置を介して、サーバコンピュータ１に対し、配送データを要求するために必要な情報を入力する。また、配送員は、表示装置を介して、サーバコンピュータ１から送信された配送データを参照する。
【００１９】
次に、図２を参照して、サーバコンピュータ１の詳細な構成要素の例を説明する。サーバコンピュータ１は、制御装置１１、メモリ１２、記憶装置１３、および通信装置１４を含む。図２に示すように、サーバコンピュータ１は、クライアントコンピュータ２と接続される。
【００２０】
制御装置１１は、プロセッサとも称され、上記各構成要素の制御やデータの演算を実行する。また、制御装置１１は、本実施形態に係る各種処理を実行するための、記憶装置１３に記憶されているプログラムをメモリ１２に読み出して実行する。ここで、上述したプログラムとは、情報処理システム１００が実行する機能の一部を実装するためのプログラムであり、サーバコンピュータ１の記憶装置１３に記憶されている。
【００２１】
メモリ１２は、クライアントコンピュータ２から送信されたデータ、コンピュータ実行可能な命令、および当該命令による演算処理後のデータなどを記憶した揮発性データ記憶装置である。メモリ１２は、ＲＡＭ（ランダムアクセスメモリ）（例えば、ＳＲＡＭ（スタティックＲＡＭ）およびＤＲＡＭ（ダイナミックＲＡＭ））などで実装されてもよい。
【００２２】
記憶装置１３は、上述したプログラムおよびＤＢＭＳ（Database Management System）によって使用されるデータベーステーブル１３ａなどを記憶した不揮発性データ記憶装置である。記憶装置１３は、ＲＯＭ（リードオンリメモリ）などの不揮発性半導体メモリ、磁気記憶装置（ハードディスクドライブなど）、および光ディスクなどで実装されてもよい。なお、プログラムおよびデータベーステーブルなどのデータは、記憶装置１３に加えまたはその代わりに、ＮＡＳ（Network Attached Storage）および／またはＳＡＮ（Storage Area Network）などに記憶されてもよい。
【００２３】
通信装置１４は、ネットワーク３を通じてクライアントコンピュータ２との間でデータおよび制御情報を送受信するネットワークインタフェースである。このネットワークインタフェースは、例えば、ＴＣＰ／ＩＰなどのプロトコルに準拠したネットワークカード（例えば、ＬＡＮカード）などによって実装される。
【００２４】
＜第１の実施形態＞
次に、図３を参照して、第１の実施形態に従って、特定の配送員が配送車を使用して配送物（ガスボンベ）を配送する特定の領域の例を示す。図３に示す領域は、複数の配送領域を含む。各々の配送領域には、領域識別番号が割り当てられている。本実施形態では、この領域識別番号は、郵便番号に相当する。つまり、本実施形態で例として使用される配送領域は、各々の郵便番号に対応する特定の地理的領域に相当する。上述した領域識別番号は、郵便番号に限定されない。例えば、領域識別番号は、情報処理システム１００が管轄する全領域を分割した各々の領域を識別する任意の識別番号であってもよい。
【００２５】
図３に示す領域は、破線で囲まれた配送領域ＤＡ１乃至ＤＡ１４を含む。配送領域ＤＡ１乃至１４のそれぞれは、領域識別番号（郵便番号）１２９−０００１乃至１２９−００１４が割り当てられている。また、図３に示す領域は、道路Ｒ１乃至Ｒ６を含む。道路Ｒ２は、矢印が示す方向にのみ走行することができる一方通行道路である。同様に、道路Ｒ４は、矢印が示す方向にのみ走行することができる一方通行道路である。
【００２６】
例えば、配送員が、ポイントＰ１から開始して、図３に示す配送先Ｃ１乃至Ｃ６にガスボンベを配送するものとする。この場合、図３から視覚的に理解することができるように、以下のような経路に沿って配送することが効率的である。表１は、配送先Ｃ１乃至Ｃ６にガスボンベを配送するために効率的な経路と、その経路において配送員が行うアクションを示す。なお、実際には、図３には示されない細かな道路をも走行することになるが、そのような詳細は省略する。
【００２７】
【表１】
2020149314.tif 000003
【００２８】
上記経路では、表２に示す領域識別番号に示す配送領域および配送先の順序で配送することになる。
【００２９】
【表２】
2020149314.tif 000004
【００３０】
上述したように、特許文献１に開示されたシステムでは、郵便番号に基づいてソートされた配送データが、配送員のモバイル端末に送信されることになる。このことから、配送員は、表３に示す順序で配送を案内されることになる。この順序は、図３に示す道路網を考慮すると、効率的な配送順序ではない。
【００３１】
【表３】
2020149314.tif 000005
【００３２】
本実施形態に係る情報処理システム１００は、配送員に対し、表２で示した順序でガスボンベを配送することを案内する。以下では、上述したことを実現する具体的な処理およびデータベーステーブルのデータ構造を説明する。
【００３３】
次に、図４を参照して、データベーステーブル１３ａに記憶された領域データテーブル４００の例を説明する。領域データテーブル４００は、ガス供給事業者がガスボンベを配送する領域を管理するためのデータベーステーブルである。図４に示すように、領域データテーブル４００は、領域識別番号４０１および優先順位４０２を含む。
【００３４】
領域識別番号４０１は、図３で説明した配送領域に割り当てられた識別番号が設定される。本実施形態では、領域識別番号４０１は、郵便番号が設定されるが、各々の領域を識別する任意の識別番号であってもよい。優先順位４０２は、領域識別番号に対応する配送領域間で配送する順位を示す優先順位が設定される。
【００３５】
図３で説明したように、道路網（例えば、配送領域間を結ぶ道路の存在、一方通行道路の方向など）によっては、領域識別番号（郵便番号）の順序に従った順序で配送領域を経由して配送することは、必ずしも効率的な配送順序にはならない。優先順位４０２には、配送領域間を結ぶ道路網に基づいて優先順位が設定される。
【００３６】
図４に示す領域識別番号１２９−０００１乃至１２９−００１４を有するデータレコードは、図３で説明した配送領域ＤＡ１乃至１４にそれぞれ対応する。図３から視覚的に理解することができるように、ポイントＰ１から開始することを前提に、配送領域ＤＡ１乃至１４に属する配送先にガスボンベを配送する場合、以下のように各々の配送領域を経由することが効率的である。表４は、経由する配送領域の順序と、当該配送領域に到達するまでに配送員が行うアクションを示す。なお、実際には、図３には示されない細かな道路をも走行することになるが、そのような詳細は省略する。
【００３７】
【表４】
2020149314.tif 000006
【００３８】
表４および図４から分かるように、優先順位４０２は、各々の配送領域に対して表４に示した順序に対応する優先順位が設定される。このように、配送領域間で、それらを結ぶ道路網に基づいて優先順位が設定されるので、各々配送員には、簡易かつ効率的な順序で配送経路を案内することができる。
【００３９】
なお、本実施形態では、配送領域間を結ぶ道路網に基づいて優先順位が割り当てられるが、そのような形式に限定されない。例えば、優先順位は、上述した道路網に加え、またはその代わりに、配送員および／もしくは配送車の配送コスト、ならびに配送時間などのうちのいずれかまたはその組み合わせに基づいて割り当てられてもよい。
【００４０】
次に、図５を参照して、データベーステーブル１３ａに記憶された配送先データテーブル５００の例を説明する。配送先データテーブル５００は、ガス供給事業者がガスボンベを配送する配送先を管理するためのデータベーステーブルである。図５に示すように、配送先データテーブル５００は、配送先識別番号５０１、領域識別番号５０２、および住所５０３を含む。
【００４１】
配送先識別番号５０１は、情報処理システム１００において、ガス供給を受ける配送先に割り当てられた識別番号が設定される。領域識別番号５０２および住所５０３は、配送先の自宅などの郵便番号および住所、つまり、ガスボンベを配送する配送先（顧客）の郵便番号および住所がそれぞれ設定される。なお、図３で説明した各配送領域に任意の識別番号が割り当てられる場合、領域識別番号５０２には、配送先の住所に対応するその識別番号が設定されてもよい。
【００４２】
次に、図６を参照して、データベーステーブル１３ａに記憶された配送員データテーブル６００の例を説明する。配送員データテーブル６００は、ガス供給事業者に属する配送員を管理するためのデータベーステーブルである。図６に示すように、配送員データテーブル６００は、配送員識別番号６０１および配送可能本数６０２を含む。配送可能本数６０２は、対象の配送員が（１日当たりに）配送可能な本数が設定される。なお、配送可能本数は、配送可能なガスボンベの本数が設定される代わりに、配送可能な配送先の戸数が設定されてもよい。
【００４３】
次に、図７を参照して、第１の実施形態に従って、情報処理システム１００が実行する処理の例を説明する。図７で説明する処理は、例えば、日次で実行される。この処理は、例えば、翌日（配送予定日）にガスボンベを配送する必要がある配送先を判定し、判定された配送先を、各々の配送員に割り当てる。このようにして、配送予定日の前日に、１日単位で配送する必要があるガスボンベの本数および対応する配送先を判定し、それらを配送員に割り当てている。配送する必要があるガスボンベの本数および対応する配送先を判定する処理は、例えば、配送先のガス消費機器や過去のガス使用量および季節などに基づいて使用量を予測することによって行われるが、本実施形態では、そのような判定の処理の説明は省略する。
【００４４】
第１の実施形態では、配送員識別番号「Ａ００１」が割り当てられた配送員Ｄ１に対し、２０１９年２月２０日に配送する必要があるガスボンベの配送を割り当てる処理の例を説明する。また、第１の実施形態では、図５に示す領域識別番号１２９−０００１乃至１２９−００１４に対応する配送領域に属する配送先への配送が配送員Ｄ１に割り当てられるものとする（つまり、１４本のガスボンベの配送が配送員Ｄ１に割り当てられる）。配送員Ｄ１は、図６に示す配送員識別番号６０１に「Ａ００１」が設定されたデータレコードに対応する。
【００４５】
なお、実際は、特定の領域について複数の配送員が分担して配送することになる。よって、配送予定日に配送する必要があるガスボンベを複数の配送員に分散して割り当てる。本実施形態では、説明を簡易化する目的で、図５に示す領域識別番号１２９−０００１乃至１２９−００１４に対応する配送領域に属する配送先への配送を、配送員Ｄ１のみに割り当てる例を説明する。
【００４６】
ステップＳ７０１では、サーバコンピュータ１の制御装置１１は、配送先データテーブル５００から対象の配送先データレコードを取得する。対象のデータレコードとは、上述したように、対象日にガスボンベを配送する必要がある配送先に対応するデータレコードである。本実施形態では、１４件の配送先データレコードが取得されるものとする（領域識別番号１２９−０００１乃至１２９−００１４を有する）。
【００４７】
次に、制御装置１１は、ステップＳ７０１で取得した配送先データレコードに含まれる領域識別番号５０２に設定された郵便番号に基づいて、領域データテーブル４００から対象の領域データレコードを取得する（ステップＳ７０２）。つまり、ステップＳ７０２の処理は、ステップＳ７０１で取得した配送先データレコードに含まれる領域識別番号５０２に設定された各々の郵便番号に対応する優先順位を取得する。
【００４８】
次に、制御装置１１は、配送員データテーブル６００から対象の配送員データレコードを取得する（ステップＳ７０３）。本実施形態では、配送員識別番号６０１に「Ａ００１」が設定されたデータレコードを取得するものとする。
【００４９】
次に、制御装置１１は、ステップＳ７０２で取得した優先順位の順序で、ステップＳ７０１で取得した配送先データレコードに対応する配送先への配送を対応する配送員（Ｄ１）に割り当てる（ステップＳ７０４）。つまり、ステップＳ７０１で取得した配送先データレコードに含まれる領域識別番号５０２に設定された郵便番号に基づいて、表４に示した順序で配送先への配送を配送員に割り当てる。本実施形態では、１４件の配送先データレコードに対応する配送先への配送が配送員Ｄ１に割り当てられるものとする。
【００５０】
ステップＳ７０４の処理では、ステップＳ７０３で取得した配送員データレコードに含まれる配送可能本数６０２に設定された値以内で、配送先への配送を割り当てる。本実施形態では、領域識別番号１２９−０００１乃至１２９−００１４に対応する配送領域に属する配送先への配送が全て配送員Ｄ１に割り当てられる。割り当てられることになる配送先への配送が配送可能本数６０２に設定された値を超える場合、優先順位に従って別の配送員に割り当てられる。
【００５１】
次に、制御装置１１は、ステップＳ７０４で割り当てられた配送先データレコードに基づいて、配送データを生成する（ステップＳ７０５）。本実施形態では、配送データは、ステップＳ７０４で割り当てられた１４件の配送先データレコードに対応する１４件の配送データレコードを有する。また、配送データレコードの各々は、ステップＳ７０２で取得した領域データレコードに含まれる優先順位４０２に設定された優先順位、ステップＳ７０３で取得した配送員データレコードに含まれる配送員識別番号６０１に設定された配送員識別番号、および配送予定日を含む。つまり、各々の配送データレコードでは、対象の配送先の領域識別番号（郵便番号）、優先順位、配送員、および配送予定日が関連付けられる。
【００５２】
次に、制御装置１１は、ステップＳ７０５で生成した配送データを、配送データテーブル８００に挿入する（ステップＳ７０６）。このようにして、所定のタイミングで（本実施形態では日次）、各々の配送員が後に参照するための配送データが配送データテーブル８００に記憶される。
【００５３】
図８は、データベーステーブル１３ａに記憶された配送データテーブル８００の例を示す。配送データテーブル８００は、配送員がガスボンベを配送するために使用され、ガスボンベの配送を管理するためのデータベーステーブルである。配送データテーブル８００は、配送員識別番号８０１、配送先識別番号８０２、領域識別番号８０３、住所８０４、配送予定日８０５、および優先順位８０６を含む。これらの項目は、ステップＳ７０５で生成した配送データの各々の項目が設定される。
【００５４】
次に、制御装置１１は、遅くとも、配送予定日の当日になると、配送員ごとに、配送員識別番号および配送予定日（システム日付）に基づいて、配送データテーブル８００から対象の配送データレコードを取得する（ステップＳ７０７）。ステップＳ７０７の処理は、例えば、配送予定日の当日に、配送予定日ごとおよび配送員ごとに配送データテーブル８００から１つまたは複数の配送データレコードを取得する。
【００５５】
次に、通信装置１４は、ステップＳ７０７で取得した配送データレコードに含まれる配送員識別番号８０１に対応する配送員のクライアントコンピュータ２に、配送データレコードを送信する（ステップＳ７０８）。なお、ステップＳ７０７およびＳ７０８の処理は、クライアントコンピュータ２からの要求に応じて実行されてもよく、または配送予定日の当日になると、サーバコンピュータ１によって自動的に実行されてもよい。
【００５６】
クライアントコンピュータ２が配送データレコードを受信すると、表示装置に配送データレコードをリスト形式で表示する（ステップＳ７０９）。このリストは、配送データレコードに含まれる優先順位８０６に設定された優先順位に基づいた順序で、クライアントコンピュータ２の表示装置上で表示される。リストの各々は、配送先の住所が表示されるので、配送員は、例えば、順序に従って、配送車に搭載されたナビゲーションシステムに住所を入力するだけで効率的に配送することができる。つまり、配送員は、効率的な順序での配送を案内される。
【００５７】
なお、本実施形態では、クライアントコンピュータ２に送信される配送データに、優先順位を含むが、配送データに優先順位を含める代わりに、サーバコンピュータ１が優先順位に従った順序で配送データを並び替えてもよい。この場合、並び替えた順序で、クライアントコンピュータ２の表示装置上で表示される。
【００５８】
以上のように、第１の実施形態に係る情報処理システムを説明した。第１の実施形態に係る情報処理システムによれば、道路網に基づいて割り当てられた優先順位が各々の配送領域に割り当てられるので、配送員は、道路網を考慮した効率的な順序での配送が案内される。また、各々の配送員が担当する配送領域に属する配送先に対し、配送領域の単位で配送員に配送が割り当てられるので、簡易な方式で処理を実現することができる。
【００５９】
＜第２の実施形態＞
次に、図９を参照して、第２の実施形態に従って、特定の配送員が配送車を使用してガスボンベを配送する特定の領域の例を示す。図９は、図３で説明した領域に加え、さらに広い範囲の領域を示す。図９に示す領域のうち、配送領域ＤＡ１乃至ＤＡ１４を含む領域は、図３で説明した領域と同様である。
【００６０】
図９に示す領域は、配送領域ＤＡ１乃至ＤＡ１４に加え、破線で囲まれた配送領域ＤＡ１５乃至ＤＡ２８を含む。配送領域ＤＡ１５乃至２８のそれぞれは、領域識別番号（郵便番号）１２８−０００１乃至１２８−００１４が割り当てられている。配送領域ＤＡ１５乃至ＤＡ２８についても同様に、ポイントＰ７から開始して、図９に示す配送先Ｃ１b乃至Ｃ６bにガスボンベを配送する場合、道路網を考慮して効率的な経路で配送することができるよう、優先順位が割り当てられている。これらの効率的な経路および優先順位の割り当てなどは、第１の実施形態で説明したのと同様であるので、ここでの説明は省略する。
【００６１】
第２の実施形態では、図９に示す領域全体を、複数の配送員が交代で配送する例を説明する。例えば、２０１９年２月２０日に、配送先Ｃ１a乃至Ｃ６aおよび配送先Ｃ１b乃至Ｃ６bにガスボンベを配送する必要があるものとする。この場合、２０１９年２月２０日を配送予定日として、配送員Ｄ１には、配送先Ｃ１a乃至Ｃ６aへの配送を割り当てる。また、２０１９年２月２０日を配送予定日として、配送員Ｄ２には、配送先Ｃ１b乃至Ｃ６bへの配送を割り当てる。配送員Ｄ１による配送先Ｃ１a乃至Ｃ６aへの配送、および配送員Ｄ２による配送先Ｃ１b乃至Ｃ６bへの配送は、第１の実施形態で説明した方式で配送する（効率的な順序で配送が案内される）。
【００６２】
次に、図１０に示すように、２０１９年２月２１日に、配送先Ｃ７a乃至Ｃ１４aおよび配送先Ｃ７b乃至Ｃ１４bにガスボンベを配送する必要があるものとする。この場合、２０１９年２月２１日を配送予定日として、配送員Ｄ２には、配送先Ｃ７a乃至Ｃ１２aの配送を割り当てる。また、２０１９年２月２１日を配送予定日として、配送員Ｄ１には、配送先Ｃ７b乃至Ｃ１２bへの配送を割り当てる。
【００６３】
第２の実施形態に係る情報処理システム１００は、所定の間隔（例えば、１日単位、２日単位、または１週間単位など）で、複数の配送員の間で配送する一定の範囲の領域を交代させる。例えば、図１１に示す領域全体を、配送領域Ａ、Ｂ、Ｃ、Ｄ、およびＥに分割し、その分割した配送領域において５人の配送員が分担して配送物を配送する例を考える。
【００６４】
例えば、１日目には、以下の表５に示すように配送員Ｄ１乃至Ｄ５がそれぞれの配送領域における配送を担当する。
【００６５】
【表５】
2020149314.tif 000007
【００６６】
次に、２日目には、以下の表６に示すように配送員Ｄ１乃至Ｄ５がそれぞれの配送領域における配送を担当する。
【００６７】
【表６】
2020149314.tif 000008
【００６８】
このように、第２の実施形態では、一定の範囲の領域間における配送を複数の配送員の間で交代させる。以下では、上述したことを実現する具体的な処理を説明する。
【００６９】
次に、図１２を参照して、第２の実施形態に従って、情報処理システム１００が実行する処理の例を説明する。第２の実施形態では、図９および図１０で説明したように、２０１９年２月２０日を配送予定日として、配送員Ｄ１が配送先Ｃ１a乃至Ｃ６aへの配送を行い、配送員Ｄ２が配送先Ｃ１b乃至Ｃ６bへの配送を行うものとする。また、２０１９年２月２１日を配送予定日として、配送員Ｄ１が配送先Ｃ７a乃至Ｃ１２aへの配送を行い、配送員Ｄ２が配送先Ｃ７b乃至Ｃ１２bへの配送を行うものとする。図１２で説明する処理についても、実行する間隔や配送する必要があるガスボンベの本数および対応する配送先を判定する処理は、図７で説明した処理と同様である。
【００７０】
ステップＳ１２０１では、サーバコンピュータ１の制御装置１１は、配送先データテーブル５００から対象の配送先データレコードを取得する。ここで、２０１９年２月２０日を配送予定日として、図５に示した配送先データテーブル５００から、以下の表７に示す１２件のデータレコードが取得されるものとする。
【００７１】
【表７】
2020149314.tif 000009
【００７２】
次に、制御装置１１は、ステップＳ１２０１で取得した配送先データレコードに含まれる領域識別番号５０２に設定された郵便番号に基づいて、領域データテーブル４００から対象の領域データレコードを取得する（ステップＳ１２０２）。ステップＳ１２０２で取得した優先順位と、ステップＳ１２０１で取得した配送先データテーブルとの関係は以下の表８に示す通りである。
【００７３】
【表８】
2020149314.tif 000010
【００７４】
次に、制御装置１１は、配送員データテーブル６００から対象の配送員データレコードを取得する（ステップＳ１２０３）。本実施形態では、図６に示す２件のデータレコードが取得されるものとする。また、図６に示す配送員識別番号６０１に「Ａ００１」が設定されたデータレコードが配送員Ｄ１に対応し、図６に示す配送員識別番号６０１に「Ａ００２」が設定されたデータレコードが配送員Ｄ２に対応するものとする。
【００７５】
次に、制御装置１１は、ステップＳ１２０２で取得した優先順位の順に、ステップＳ１２０１で取得した配送先データレコードに対応する配送先への配送を対応する配送員Ｄ１およびＤ２にそれぞれ割り当てる（ステップＳ１２０４）。ここで、配送員Ｄ１およびＤ２のそれぞれの配送可能本数は６をする。よって、配送員Ｄ１には、表６に示した優先順位が１、３、６、７、１０、および１２の順序で、６件の配送先への配送が割り当てられる。また、配送員Ｄ２には、表６に示した優先順位１５、１６、１９、２１、２６、および２８の順序で６件の配送先への配送が割り当てられる。
【００７６】
次に、ステップＳ１２０５乃至Ｓ１２０９の処理が実行され、配送員Ｄ１およびＤ２のそれぞれのクライアントコンピュータ２に、上述した６件の配送先データがリスト形式で表示される。これらの処理は、図７で説明したステップＳ７０５乃至Ｓ７０９と同様であるので、詳細な説明は省略する。
【００７７】
以上説明したように、２０１９年２月２０日を配送予定日として（つまり、第１の時点）、配送員に１２件の配送先への配送を割り当てる処理を説明した。次に、再度、図１０を参照して、２０１９年２月２０日を配送予定日として（つまり、第２の時点）、配送員に配送を割り当てる処理を説明する。
【００７８】
ステップＳ１２０１では、サーバコンピュータ１の制御装置１１は、配送先データテーブル５００から対象の配送先データレコードを取得する。ここで、２０１９年２月２１日を配送予定日として、図５に示した配送先データテーブル５００から、以下の表９に示す１２件のデータレコードが取得されるものとする。
【００７９】
【表９】
2020149314.tif 000011
【００８０】
次に、制御装置１１は、ステップＳ１２０１で取得した配送先データレコードに含まれる領域識別番号５０２に設定された郵便番号に基づいて、領域データテーブル４００から対象の領域データレコードを取得する（ステップＳ１２０２）。ステップＳ１２０２で取得した優先順位と、ステップＳ１２０１で取得した配送先データテーブルとの関係は以下の表１０に示す通りである。
【００８１】
【表１０】
2020149314.tif 000012
【００８２】
次に、制御装置１１は、配送員データテーブル６００から対象の配送員データレコードを取得する（ステップＳ１２０３）。この処理で取得されるデータレコードは、先に説明したステップＳ１２０３と同様である。
【００８３】
次に、制御装置１１は、ステップＳ１２０２で取得した優先順位の順に、ステップＳ１２０１で取得した配送先データレコードに対応する配送先への配送を対応する配送員Ｄ１およびＤ２にそれぞれ割り当てる（ステップＳ１２０４）。ここで、２０１９年２月２０日を配送予定日とする処理では、配送員Ｄ１に対する割り当てを先に行っていたが、２０１９年２月２１日を配送予定日とする処理では、配送員Ｄ２に対する割り当てを先に行う。よって、配送員Ｄ２には、表８に示した優先順位が４、５、８、９，１１、および１４の順序で、６件の配送先への配送が割り当てられる。また、配送員Ｄ１には、表８に示した優先順位が１８、２０、２２、２３、２４、および２５の順序で６件の配送先への配送が割り当てられる。
【００８４】
その後は、ステップＳ１２０５乃至Ｓ１２０９の処理が実行され、配送員Ｄ１およびＤ２のそれぞれのクライアントコンピュータ２に、上述した６件の配送先データがリスト形式で表示される。これらの処理は、先に説明したステップＳ１２０５乃至Ｓ１２０９と同様であるので、詳細な説明は省略する。
【００８５】
以上のように、第２の実施形態に係る情報処理システムを説明した。第２の実施形態に係る情報処理システムによれば、例えば、図９および１０で示した配送領域ＤＡ１乃至１４を含む一定の領域における配送と、配送領域ＤＡ１５乃至２８を含む一定の領域における配送とを、複数の配送員が所定の間隔で交代することになる。このことは、同一の配送員が同一の一定の領域を配送し続けるのではなく、配送する全体領域のうちの複数の部分領域を複数の配送員で交代して配送することを意味する。このように構成することによって、配送地域ごとに存在する不平等（例えば、配送領域間の距離が長いなど）などを是正し、それぞれの配送員に公平な業務負荷を割り当てることができる。また、特定の配送員がその配送領域を受け持つことがなくなり、例えば、休暇を取得したとしても、その配送領域は、他の配送員によって業務が遂行される。
【００８６】
なお、上記説明した配送領域の割り当てを交代する方法は例示にすぎない。例えば、配送領域ＤＡ１乃至１４を含む一定の領域、および配送領域ＤＡ１５乃至２８を含む一定の領域をそれぞれグループ化してもよい。この場合、例えば、配送員Ｄ１に１つ目のグループに属する配送領域における配送先への配送が割り当てられた場合、次の配送予定日には、配送員Ｄ１に２つ目のグループに属する配送領域における配送先への配送が割り当てられることになる。
【００８７】
上記実施形態で説明したハードウェアの構成要素は例示的なものにすぎず、その他の構成も可能であることに留意されたい。また、上記実施形態で説明した処理の順序は、必ずしも説明した順序で実行される必要がなく、任意の順序で実行されてもよい。さらに、本発明の基本的な概念から逸脱することなく、追加のステップが新たに加えられてもよい。
【００８８】
また、本発明の一実施形態に係る情報処理システム１００は、サーバコンピュータ１によって実行されるコンピュータプログラムによって実装されるが、当該コンピュータプログラムは、非一時的記憶媒体に記憶されてもよい。クライアントコンピュータ２によって実行されるコンピュータプログラムも同様である。非一時的記憶媒体の例は、リードオンリメモリ（ＲＯＭ）、ランダムアクセスメモリ（ＲＡＭ）、レジスタ、キャッシュメモリ、半導体メモリ装置、内蔵ハードディスクおよび取外可能ディスク装置などの磁気媒体、光磁気媒体、ならびにＣＤ−ＲＯＭディスクおよびデジタル多用途ディスク（ＤＶＤ）などの光学媒体などを含む。
【符号の説明】
【００８９】
１    サーバコンピュータ
２ａ  クライアントコンピュータ
２ｂ  クライアントコンピュータ
２ｎ  クライアントコンピュータ
３    ネットワーク
１００    情報処理システム
【図１】
2020149314.tif 000013
【図２】
2020149314.tif 000014
【図３】
2020149314.tif 000015
【図４】
2020149314.tif 000016
【図５】
2020149314.tif 000017
【図６】
2020149314.tif 000018
【図７】
2020149314.tif 000019
【図８】
2020149314.tif 000020
【図９】
2020149314.tif 000021
【図１０】
2020149314.tif 000022
【図１１】
2020149314.tif 000023
【図１２】
2020149314.tif 000024
【手続補正書】
【提出日】令和2年7月7日(2020.7.7)
【手続補正１】
【補正対象書類名】特許請求の範囲
【補正対象項目名】全文
【補正方法】変更
【補正の内容】
【特許請求の範囲】
【請求項１】
制御装置および記憶装置を備えた情報処理装置であって、
前記記憶装置は、複数の領域に対応する複数の領域識別番号、前記複数の領域にそれぞれが属する複数の配送先に対応する複数の配送先識別番号、および前記複数の領域のそれぞれに対し、前記複数の領域間の道路網に従って割り当てられた優先順位を関連付けて記憶するように構成され、
前記制御装置は、
前記記憶装置から、第１の配送先識別番号および第２の配送先識別番号を取得し、
前記記憶装置から、前記第１の配送先識別番号に基づいて、対応する第１の領域識別番号および対応する第１の優先順位を取得し、
前記記憶装置から、前記第２の配送先識別番号に基づいて、対応する第２の領域識別番号および対応する第２の優先順位を取得し、
前記第１の優先順位および前記第２の優先順位の順序で、前記第１の領域識別番号に対応する第１の領域への配送物の配送、および前記第２の領域識別番号に対応する第２の領域への配送物の配送を配送員に割り当てる
ように構成されていることを特徴とする情報処理装置。
【請求項２】
前記第１の優先順位および前記第２の優先順位の順序で、前記第１の配送先識別番号および前記第２の配送先識別番号を含むデータを、前記配送員に対応するクライアントコンピュータに送信するように構成された通信装置をさらに備えていることを特徴とする請求項１に記載の情報処理装置。
【請求項３】
前記第１の優先順位および前記第１の配送先識別番号と、前記第２の優先順位および前記第２の配送先識別番号とを含むデータを、前記配送員に対応するクライアントコンピュータに送信するように構成された通信装置をさらに備えていることを特徴とする請求項１に記載の情報処理装置。
【請求項４】
前記記憶装置は、前記複数の配送先に対応する複数の住所を記憶するようにさらに構成され、
前記制御装置は、
前記記憶装置から、前記第１の配送先識別番号に対応する第１の住所、および前記第１の配送先識別番号に対応する第２の住所を取得するようにさらに構成され、
前記クライアントコンピュータに送信される前記データに、前記第１の住所および前記第２の住所を含める
ようにさらに構成されていることを特徴とする請求項２または３に記載の情報処理装置。
【請求項５】
制御装置および記憶装置を備えた情報処理装置であって、
前記記憶装置は、複数の領域に対応する複数の領域識別番号、前記複数の領域にそれぞれが属する複数の配送先に対応する複数の配送先識別番号、および前記複数の領域のそれぞれに対し、前記複数の領域間の道路網に従って割り当てられた優先順位を関連付けて記憶するように構成され、
前記制御装置は、第１の時点において、
前記記憶装置から、第１の配送先識別番号乃至第４の配送先識別番号を取得し、
前記記憶装置から、前記第１の配送先識別番号乃至前記第４の配送先識別番号に基づいて、対応する第１の領域識別番号および対応する第１の優先順位と、対応する第２の領域識別番号および対応する第２の優先順位と、対応する第３の領域識別番号および対応する第３の優先順位と、対応する第４の領域識別番号および対応する第４の優先順位とをそれぞれ取得し、
前記第１の優先順位乃至前記第４の優先順位の順序で、前記第１の領域識別番号に対応する第１の領域への配送物の配送、および前記第２の領域識別番号に対応する第２の領域への配送物の配送を第１の配送員に、前記第３の領域識別番号に対応する第３の領域への配送物の配送、および前記第４の領域識別番号に対応する第４の領域への配送物の配送を第２の配送員に割り当てる
ように構成され、
前記制御装置は、第２の時点において、
前記記憶装置から、第５の配送先識別番号乃至第８の配送先識別番号を取得し、
前記記憶装置から、前記第５の配送先識別番号乃至前記第８の配送先識別番号に基づいて、対応する第５の領域識別番号および対応する第５の優先順位と、対応する第６の領域識別番号および対応する第６の優先順位と、対応する第７の領域識別番号および対応する第７の優先順位と、対応する第８の領域識別番号および対応する第８の優先順位とをそれぞれ取得し、
前記第５の優先順位乃至前記第８の優先順位の順序で、前記第５の領域識別番号に対応する第５の領域への配送物の配送、および前記第６の領域識別番号に対応する第６の領域への配送物の配送を前記第２の配送員に、前記第７の領域識別番号に対応する第７の領域への配送物の配送、および前記第８の領域識別番号に対応する第８の領域への配送物の配送を前記第１の配送員または第３の配送員に割り当てる
ようにさらに構成され、
前記第１の領域乃至前記第８の領域は、一定の同一の範囲に属する
ことを特徴とする情報処理装置。
【請求項６】
コンピュータデバイスによって実行される方法であって、前記コンピュータデバイスは、複数の領域に対応する複数の領域識別番号、前記複数の領域にそれぞれが属する複数の配送先に対応する複数の配送先識別番号、および前記複数の領域のそれぞれに対し、前記複数の領域間の道路網に従って割り当てられた優先順位を関連付けて記憶装置に記憶し、
前記記憶装置から、第１の配送先識別番号および第２の配送先識別番号を取得するステップと、
前記記憶装置から、前記第１の配送先識別番号に基づいて、対応する第１の領域識別番号および対応する第１の優先順位を取得するステップと、
前記記憶装置から、前記第２の配送先識別番号に基づいて、対応する第２の領域識別番号および対応する第２の優先順位を取得するステップと、
前記第１の優先順位および前記第２の優先順位の順序で、前記第１の領域識別番号に対応する第１の領域への配送物の配送、および前記第２の領域識別番号に対応する第２の領域への配送物の配送を配送員に割り当てるステップと
を備えたことを特徴とする方法。
【請求項７】
コンピュータデバイスによって実行される方法であって、前記コンピュータデバイスは、複数の領域に対応する複数の領域識別番号、前記複数の領域にそれぞれが属する複数の配送先に対応する複数の配送先識別番号、および前記複数の領域のそれぞれに対し、前記複数の領域間の道路網に従って割り当てられた優先順位を関連付けて記憶装置に記憶し、
第１の時点において、
前記記憶装置から、第１の配送先識別番号乃至第４の配送先識別番号を取得するステップと、
前記記憶装置から、前記第１の配送先識別番号乃至前記第４の配送先識別番号に基づいて、対応する第１の領域識別番号および対応する第１の優先順位と、対応する第２の領域識別番号および対応する第２の優先順位と、対応する第３の領域識別番号および対応する第３の優先順位と、対応する第４の領域識別番号および対応する第４の優先順位とをそれぞれ取得するステップと、
前記第１の優先順位乃至前記第４の優先順位の順序で、前記第１の領域識別番号に対応する第１の領域への配送物の配送、および前記第２の領域識別番号に対応する第２の領域への配送物の配送を第１の配送員に、前記第３の領域識別番号に対応する第３の領域への配送物の配送、および前記第４の領域識別番号に対応する第４の領域への配送物の配送を第２の配送員に割り当てるステップと、
第２の時点において、
前記記憶装置から、第５の配送先識別番号乃至第８の配送先識別番号を取得するステップと、
前記記憶装置から、前記第５の配送先識別番号乃至前記第８の配送先識別番号に基づいて、対応する第５の領域識別番号および対応する第５の優先順位と、対応する第６の領域識別番号および対応する第６の優先順位と、対応する第７の領域識別番号および対応する第７の優先順位と、対応する第８の領域識別番号および対応する第８の優先順位とをそれぞれ取得するステップと、
前記第５の優先順位乃至前記第８の優先順位の順序で、前記第５の領域識別番号に対応する第５の領域への配送物の配送、および前記第６の領域識別番号に対応する第６の領域への配送物の配送を前記第２の配送員に、前記第７の領域識別番号に対応する第７の領域への配送物の配送、および前記第８の領域識別番号に対応する第８の領域への配送物の配送を前記第１の配送員または第３の配送員に割り当てるステップと
を備え、
前記第１の領域乃至前記第８の領域は、一定の同一の範囲に属する
ことを特徴とする方法。
【請求項８】
コンピュータ実行可能命令を含むコンピュータプログラムであって、前記コンピュータ実行可能命令は、コンピュータデバイスによって実行されるとき、前記コンピュータデバイスに、請求項６または７に記載の方法を実行させることを特徴とするコンピュータプログラム。